【事件の表示】
　特許第２９５２５５８号「建築用材」の請求項１に係る特許に対する特許異議の申立てについて、次のとおり決定する。
【結　論】
　訂正を認める。
　特許第２９５２５５８号の請求項１に係る特許を維持する。
【理　由】
１．経緯
　特許出願　　　　　　　　　　平成６年１１月１日
　特許設定登録　　　　　　　　平成１１年７月１６日
　特許異議の申立て
　　申立人長谷川三冶子　　　　平成１２年３月２１日
　　申立人段谷産業株式会社　　平成１２年３月６日
　取消理由通知　　　　　　　　平成１２年７月１１日
　訂正請求　　　　　　　　　　平成１２年１０月２日
　特許異議意見書　　　　　　　平成１２年１０月２日
　　
２．訂正の適否
（１）訂正の目的及び内容
訂正事項ａ　特許請求の範囲の減縮を目的として、請求項１を、
「【請求項１】木質繊維板を基板としその少なくとも表面に化粧シートを貼着してなる建築用材において、化粧シートとして、単一の透明または半透明の樹脂シートの裏面に木目模様印刷が施されたものを用い、基板表面の色調が化粧シートを通して表面に現出していることを特徴とする建築用材。」と訂正する。
訂正事項ｂ　請求項１に適合するよう、明りょうでない記載の釈明を目的として、明細書の段落【０００６】を、
「【問題点を解決するための手段】本発明は、このような問題点に鑑み色調の管理が容易に行うことができ、しかも優れた木質感を有する建築用材を提供すべく鋭意研究を重ねた結果、本発明を完成するに至ったものである。すなわち本発明は、木質繊維板６を基板としその少なくとも表面に化粧シートを貼着してなる建築用材において、化粧シート１として、単一の透明または半透明の樹脂シートの裏面に木目模様印刷が施されたものを用い、基板表面の色調が化粧シート１を通して表面に現出していることを特徴とする建築用材である。」と訂正する。
　
（２）訂正の目的の適否、新規事項の有無、特許請求の範囲の拡張変更の存否
　訂正事項ａは、請求項１に記載された化粧シートを、単一の透明または半透明の樹脂シートの裏面に木目模様印刷が施されたものに特定するものであるから、特許請求の範囲の減縮を目的とするものに該当し、この訂正は特許明細書の段落【０００９】及び図１の記載に基づくものと認められるから、特許明細書又は図面に記載された範囲のものであり、また、実質上特許請求の範囲を拡張又は変更するものではないと認められる。
　訂正事項ｂは、請求項の記載の訂正に対応したものであるから、明りょうでない記載の釈明を目的とするものに該当し、訂正事項ａと同様に特許明細書又は図面に記載された範囲のものであり、また、実質上特許請求の範囲を拡張又は変更するものではないと認められる。
　　
（３）むすび
　上記訂正は、特許法第１２０条の４第３項において準用する平成６年法による改正前の特許法第１２６条第１項ただし書及び同条第２項の規定に適合するので、この訂正を認める。
　　
３．特許異議申立について
（１）特許異議申立の概要
　特許異議申立人長谷川三冶子（以下、申立人Ａという）は、甲第１号証（実願昭６２−１３２５１０号（実開昭６４−３６１３３公報）のマイクロフィルム、取消理由通知で引用した刊行物１）、甲第２号証（「改訂第２版　化学便覧　応用編　日本化学会編」第１８２９−１８３０頁、昭和５３年４月２０日、丸善株式会社発行）を提出して、訂正前の請求項１に係る発明は、甲第１号証に記載された発明であるから、訂正前の請求項１に係る特許は、特許法第２９条第１項第３号の規定に違反してなされたものであり、また、訂正前の請求項１に係る発明は、甲第１ないし２号証に記載された発明に基づいて当業者が容易に発明をすることができたものであるから、訂正前の請求項１に係る特許は、特許法第２９条第２項の規定に違反してなされたものであるので、特許法第１１３条第２項の規定により取り消されるべき旨、主張している。
　特許異議申立人段谷産業株式会社（以下、申立人Ｂという）は、甲第１号証（特開昭６３−１３５２４２号公報）、甲第２号証（実開平５−７６７０２号公報）を提出して、訂正前の請求項１に係る発明は、甲第１ないし２号証に記載された発明に基づいて、当業者が容易に発明をすることができたものであるから、訂正前の請求項１に係る特許は、特許法第２９条第２項の規定に違反してなされたものであるので、特許法第１１３条第２項の規定により取り消されるべき旨、主張している。
　
（２）甲各号証の記載
（２）−１　申立人Ａの提出した甲第１ないし２号証の記載
甲第１号証には、
「（１）少なくとも２枚の透明プラスチックシートが貼り合わされていて、その２枚の透明プラスチックシートの間に模様を有している複合化粧シートが基板に接着されていることを特徴とする化粧板。
（２）複合シートが透明性の接着剤を介して基板に接着されていることを特徴とする実用新案登録請求の範囲第１項記載の化粧板。」（実用新案登録請求の範囲第１−２項）、
「模様３は下層を透視できるものでなければならない」（第５頁第１２−１３行）、
「基板５としては、……、例えば次のようなものである：木質系の基板として、合板、パーティクルボード、ハードボード、もしくはインシュレーションボードなど」（第７頁第１−６行）、
「接着剤としては大別して透明なものと不透明なものとがある。基板を見せたいときには透明なものを使用すると、複合化粧シートを介して基板が透視できて良い」（第８頁第４−７号）、
「［効果］この考案によれば、模様の下側に透明プラスチックシートがあるので、模様に奥行きが感じられ、深み、立体感が得られる。特に、模様を木目とし、接着剤としてパール顔料を含むものを使用したものは、天然の木の持つ模様の奥行き感、「照り」が表現でき、よりリアルな木目化粧板とすることができる」（第１０頁第１−８行）、
「［より具体的な実施例］無色透明ポリ塩化ビニル樹脂フィルム（……、厚さ０．１ｍｍ）に木目模様を塩化ビニル／酢酸ビニル共重合体およびアクリル樹脂をバインダーとするインキ（……）を用いてグラビア印刷し、印刷面に前記と同様な無色透明ポリ塩化ビニル樹脂フィルムを重ね、加熱融着すると共に一方の表面にエンボス加工を施し、複合化粧シートを得た」（第１０頁第９−１８行）が記載されていると認められる。
　
甲第２号証には、
「（２）繊維板：丸太・背板・ロータリーむき心・木くず（屑）・パルプくずなどの廃材を繊維化し，これに接着剤を添加した上で，加熱および加圧して繊維板がつくられる．……また製品の比重によって，軟質板（インシュレーションボード），半硬質板（セミハードボード）および硬質板（ハードボード）に分けられている」（第１８２９頁右欄第１７−２４行）、
「（３）パーティクルボード：前記の繊維板が木質繊維をパルプ化してつくられるのに対して，木材を破砕あるいは切削してチップ化し，これに接着を施して熱圧の下で成形したものにパーティクルボードがある．比重は０．４以上で，セミハードボードに相当する」（第１８３０頁右欄第１−５行）が記載されるとともに、
第１８３０頁の表２４．１２９繊維板の品質規格には、パーティクルボードについて記載されていると認められる。
　
（２）−２　申立人Ｂの提出した甲第１ないし２号証の記載
甲第１号証には、
「（１）木質板表面に、木目模様を形成した透明又は半透明のフィルムを透明な接着剤を介して張り合わせてなる化粧板。」（特許請求の範囲請求項１）、
「印刷のみで天然の木材の表面を表現するには限界があり、天然の突き板を貼り合わせたものと、化粧シートを貼り合わせたものとには、歴然とした差があった。
（発明が解決しようとする問題点）
　本発明は、以上のような従来技術の欠点を解消しようとするものであって、木質板の表面を生かし、その表面に貼り合わせる化粧シート状の模様を組み合わせて、より天然の木材の外観に近付けようとすることを特徴とするものである」（第１頁右欄第４−１３行）、「木質板は、合板、突き板、無垢の板、集成材等の、表面に導管、随線、斑、ヤニ壺等の木材特有の組織を有するものを使用する」（第１頁右欄第１９行−第２頁左上欄第１行）、
「透明又は半透明のフィルムとしては、ポリ塩化ビニルフィルム、ポリエステルフィルム、ポリプロピレンフィルム、ポリアミドフィルム、ポリカーボネートフィルム等の透明なフィルムが使用できる」（第２頁左欄１３−１７行）、
「本発明の化粧板は、貼り合わせる化粧シートが透明フィルムを基材としており、しかも透明な接着剤を介して貼り合わせてあるので、木質板の表面が上から良く視認でき、木質板表面の木材特有の組織と、印刷によって形成された模様とが良く組み合わされて、良質の木材の外観をよく表現した化粧板となっている。なお、木目模様を透明顔料を着色材とする透明インキによって形成すれば、今迄あまり良く見えなかった木目模様の下側の基板表面も良く見えるようになり、より天然の木に近い外観となる」（第２頁左上欄第１９行−右上欄第９行）が記載されていると認められる。
甲第２号証には、
「【請求項１】天然木材からなる単板を貼着してなる複合板の表面に、針葉樹材より得られる木質繊維板又は木削片板からなる表面板が積層接着されてなることを特徴とする積層板。
【請求項２】前記表面板に化粧シートが積層接着されてなることを特徴とする請求項１の積層板。」、
「更には、これら表面材は白色又は淡黄色の材色を呈するため、この明るい材色を薄い化粧シートを通して積極的に発色させ、意匠性の向上に寄与することができる」（段落【００１９】第１−３行）、
「更に、その材色は明るいので、これを薄い化粧シートを通して積極的に現出させることにより、意匠性の向上を図ることができる」（段落【００２３】第３−５行）が記載されていると認められる。
　
（３）請求項１に係る発明
　訂正前の本件請求項１は、上記の適法な訂正により新たな請求項１となった。
　新たな本件請求項１に係る発明（以下、本件発明という）は訂正後の明細書及び図面の記載からみてその特許請求の範囲の請求項１に記載された事項により特定される下記のとおりのものと認められる。
【請求項１】木質繊維板を基板としその少なくとも表面に化粧シートを貼着してなる建築用材において、化粧シートとして、単一の透明または半透明の樹脂シートの裏面に木目模様印刷が施されたものを用い、基板表面の色調が化粧シートを通して表面に現出していることを特徴とする建築用材。
　　
（４）−１　申立人Ａの主張する理由及び提出した証拠について
　甲第１号証には、少なくとも２枚の透明プラスチックシートが貼り合わされていて、その２枚の透明プラスチックシートの間に模様を有している複合化粧シートが、ハードボードまたはインシュレーションボードのような木質繊維板からなる基板に接着された化粧板の発明が記載されており、この基板表面の色調は複合化粧シートを通して表面に現出していると認められる。
　本件発明と刊行物１に記載された発明とを対比すると、後者の複合化粧シート及び基板は前者の化粧シート及び基板に相当すると認められるから、両者は木質繊維板を基板としその少なくとも表面に化粧シートを貼着してなる建築用材において、化粧シートとして、透明の樹脂シートに木目模様印刷が施されたものを用い、基板表面の色調が化粧シートを通して表面に現出していることを特徴とする建築用材である点で共通していると認められるが、前者が、化粧シートとして単一の透明または半透明の樹脂シートの裏面に木目模様印刷が施されたものを用いるのに対し、後者は少なくとも２枚の透明プラスチックシートが貼り合わされていて、その２枚の透明プラスチックシートの間に模様を有しているものを用いる点で相違していると認められる。
　相違点について検討する。
　甲第１号証（第２頁左上欄第１９行−右上欄第９行）中の、模様の下側に透明プラスチックシートがあるので、模様に奥行きが感じられ、深み、立体感が得られる、という記載からみて、甲第１号証に記載された発明の少なくとも２枚の透明プラスチックシートが貼り合わされものから内部側の透明プラスチックシートを除去することは、その効果を損なうものであるから、当業者が容易に実施できることとは認められない。また、甲第２号証にも、上記内部側の透明プラスチックシートの除去については、それを示唆する記載も認められない。
　そして本件発明は、本件特許明細書に記載された効果を有するものと認められる。
　したがって、本件発明は、甲第１号証に記載された発明であるとも、甲第１ないし２号証に記載された発明に基づいて当業者が容易に発明をすることができたものであるとも認められない。
　
（４）−２　申立人Ｂの主張する理由及び提出した証拠について
　甲第１号証には、木質板表面に、木目模様を形成した透明又は半透明のフィルムを透明な接着剤を介して張り合わせてなる化粧板の発明が記載されていると認められる。
　本件発明と甲第１号証に記載された発明とを対比すると、後者の木目模様を形成した透明又は半透明のフィルム及び化粧板は、前者の透明または半透明の樹脂シートの裏面に木目模様印刷が施された化粧シート及び建築用材に相当すると認められるので、両者は、基板の少なくとも表面に化粧シートを貼着してなる建築用材において、
化粧シートとして、単一の透明または半透明の樹脂シートの裏面に木目模様印刷が施されたものを用い、基板表面の色調が化粧シートを通して表面に現出していることを特徴とする建築用材である点で共通しており、前者の基板が表面に導管、随線、斑、ヤニ壺等の木材特有の組織を有しない木質繊維板であるのに対して、後者の基板が合板、突き板、無垢の板、集成材等の、表面に導管、随線、斑、ヤニ壺等の木材特有の組織を有する木質板である点で相違していると認められる。
　相違点について検討する。
　甲第１号証に記載された発明は、印刷のみで天然の木材の表面を表現するには限界があり、天然の突き板を貼り合わせたものと、化粧シートを貼り合わせたものとは、歴然とした差があったという従来の技術的問題を解決するために、木質板表面に木目模様を形成した透明又は半透明のフィルムを透明な接着剤を介して張り合わせて化粧板を形成したものであり、このような構成を採用したことにより、木質板の表面が上から良く視認でき、木質板表面の木材特有の組織と、印刷によって形成された模様とが良く組み合わされて、良質の木材の外観をよく表現するという意匠的効果を奏し得たものと認められる。
　したがって、甲第１号証に記載された発明においては、木材特有の組織を有する木質板と木目模様を形成した透明又は半透明のフィルムとの組合せは一体不可分の構成であると認められるから、この組合せを解消し、木質板に代えてこのような表面模様を有しない甲第２号証に記載されたような木質繊維板を採用することは、当業者にとって想定できないことであると認められる。
　そして、本件発明は、特許明細書に記載された効果を有するものと認められる。
　よって、本件発明は、甲第１ないし２号証に記載された発明に基づいて当業者が容易に発明をすることができたものとは認められない。
　
５．むすび
　以上のとおりであるから、申立人Ａ及びＢの特許異議申立の理由及び証拠によっては本件発明に係る特許を取り消すことはできない。
　また、他に本件発明に係る特許を取り消すべき理由を発見しない。
【異議決定日】
平成１３年８月７日（２００１．８．７）
【訂正の要旨】
訂正の要旨
訂正事項ａ
　特許請求の範囲の減縮を目的として、請求項１を、
「【請求項１】木質繊維板を基板としその少なくとも表面に化粧シートを貼着してなる建築用材において、化粧シートとして、単一の透明または半透明の樹脂シートの裏面に木目模様印刷が施されたものを用い、基板表面の色調が化粧シートを通して表面に現出していることを特徴とする建築用材。」と訂正する。
訂正事項ｂ
　請求項１に適合するよう、明りょうでない記載の釈明を目的として、明細書の段落【０００６】を、
「【問題点を解決するための手段】本発明は、このような問題点に鑑み色調の管理が容易に行うことができ、しかも優れた木質感を有する建築用材を提供すべく鋭意研究を重ねた結果、本発明を完成するに至ったものである。すなわち本発明は、木質繊維板６を基板としその少なくとも表面に化粧シートを貼着してなる建築用材において、化粧シート１として、単一の透明または半透明の樹脂シートの裏面に木目模様印刷が施されたものを用い、基板表面の色調が化粧シート１を通して表面に現出していることを特徴とする建築用材である。」と訂正する。
（５４）【発明の名称】
建築用材
（５７）【特許請求の範囲】
　【請求項１】木質繊維板を基板としその少なくとも表面に化粧シートを貼着してなる建築用材において、化粧シートとして、単一の透明または半透明の樹脂シートの裏面に木目模様印刷が施されたものを用い、基板表面の色調が化粧シートを通して表面に現出していることを特徴とする建築用材。
【発明の詳細な説明】
　【０００１】
　【産業上の利用分野】本発明は家具用化粧板、壁材、床板、造作材など種々の用途に使用可能な建築用材に関する。
　【０００２】
　【従来技術】従来、あまり明確な木目模様のない天然木素地基板を使用した化粧板としては、天然木の素地面に目止め塗料または下地塗料などを塗布しその上に木目模様を印刷し、さらに上塗り塗料を塗布して仕上げた化粧板や、印刷および塗装などを素地基板に施さずに、基板表面に合成樹脂シートあるいは紙等の表面に木目模様が印刷された化粧シートを貼着することにより得る化粧板などが知られている。
　【０００３】また、最近の内装材として使用される化粧板を始めとする建築用材は、その色調の統一化（カラーコーディネート）が要求されるため、同一の木目模様でも色調が、明るいもの／暗いもの／その中間のものというように、最低でも３段階の色調のものをそれぞれ提供するという必要が生じている。
　【０００４】
　【発明が解決しようとする問題点】このような要求に対応するため、前者の塗装による化粧板においては、下地色に使用する塗料および上塗り層に使用する塗料の色調を調整し対応を図るものであるが、塗料の色調の管理に加え、塗装する基板が木質素地基板であるため、その素地基板の色調、塗料の浸透状態等が一定な均質なものではなく一枚毎に異なり、さらに一枚の基板においても場所により大きく異なるものもあり、常に一定の塗装状態を保持するには単に塗料の混合比あるいは塗布量などの数値的な管理をすれば良いというものではなく、実際に塗装が終わったものを確認しながら、経験に基づく調整を加える必要があり、常に同じ色調のものを得るということは非常に難しいものとなる。
　【０００５】また、後者の化粧シートを貼着する方法においては、ベースシートとして素地基板の色調を完全に隠蔽するような不透明な合成樹脂シートを使用する場合は、合成樹脂シートの色調とその表面に印刷する木目模様の色調の管理により、一定の色調を保持することは容易に行うことが可能となる。しかし、平面的に印刷されたものに過ぎず、天然木に比較した場合明らかに意匠的に見劣りするものであった。
　【０００６】
　【問題点を解決するための手段】本発明は、このような問題点に鑑み色調の管理が容易に行うことができ、しかも優れた木質感を有する建築用材を提供すべく鋭意研究を重ねた結果、本発明を完成するに至ったものである。すなわち本発明は、木質繊維板６を基板としその少なくとも表面に化粧シートを貼着してなる建築用材において、化粧シート１として、単一の透明または半透明の樹脂シートの裏面に木目模様印刷が施されたものを用い、基板表面の色調が化粧シート１を通して表面に現出していることを特徴とする建築用材である。
　【０００７】
　【作用】本発明の建築用材は、基板として木質繊維を原料とする表面性状が均質な木質繊維板６を使用し、その表面に貼着する化粧シート１を通して該基板表面が現出するため、化粧シート１に印刷された木目模様と色調に加え、この化粧シート１を通して表面に現出する木質繊維板６の色調が浮かび上がることにより、得られる化粧面に深みが生ずるものとなる。
　【０００８】さらに、基板の木質繊維板６として目的とする色調を現出するために適合した色調の木質繊維を選択し成形したものを使用することにより、木質繊維板６の表面の色調を一定に保持することが可能なため、得られる建築用板の表面の色調は目的とする色調のものが安定して得られるものである。
　【０００９】
　【実施例】図１は本発明の建築用材の断面図の一例を示すものであり、木質繊維板６の表面に接着剤５を介して化粧シート１が貼着されており、該化粧板シート１は合成樹脂シート２の裏面に模様層３とベタ層４からなる木目模様が印刷（塗装）されたものである。
　【００１０】本発明において基板として使用する木質繊維板６は、原料として松、杉、檜等の針葉樹材または、ラワン、カポール、栗、ポプラ等の広葉樹材の原木で板材あるいは角材として使用できない部分または廃材を切削した木材チップを、常法により解繊して得られる木質繊維、および木質繊維板製造の際に生じるサンダーダスト、ソーダスト、チップダスト等の屑材を混入したものを使用し、これらの木質繊維に接着剤を塗布した後、常法によりフォーミングし加熱圧締することにより成形された木質繊維板を使用することができる。
　【００１１】なお、広葉樹材から得られる木質繊維は繊維の色調が褐色系のものであるのに対し、針葉樹材から得られる木質繊維は白色系または黄色系である。このため、基板として使用する木質繊維板６として、白色系または黄色系の色調のものが必要な場合は針葉樹材の木質繊維を使用した木質繊維板を用い、また褐色系の色調のものが必要な場合は広葉樹材の木質繊維を使用した木質繊維板を用いることにより、基板の色調の調整管理を図ることができる。
　【００１２】さらに、これら針葉樹材の木質繊維と広葉樹材の木質繊維を適宜割合で混合することにより、所望の色調の木質繊維板を得ることができ、該混合比を一定に保つことにより同様の色調の木質繊維板を安定して得ることができるため、同一の木目模様が印刷された化粧シートを貼着した場合でも、数種類の色調の建築用材を得ることができる。
　【００１３】また、図１において化粧シート１を構成する樹脂シート２は、透明または半透明のシートであり、例えば塩化ビニル系、ウレタン系、アクリル系、エポキシ系等の樹脂からなるシートであり、その厚さは２０〜２００μｍのものを使用することができる。また、その裏面に印刷される模様層３は、天然木等の木目模様を再現した印刷であり、グラビア印刷、フレキソ印刷、シルクスクリーン印刷などにより形成することができる。また、その下面に形成されたベタ層は、天然木の照りのある部分に対応する絵柄と天然木のベース色を形成するものであり、好ましくは前記模様層３と同調させて設けることができる。
　【００１４】さらに、これら模様層３およびベタ層４からなる木目模様印刷は、化粧シート１を貼着した際に基板表面の色調を完全に隠蔽するものではなく、化粧シート１を通して基板表面の色調を表面に現出する範囲の顔料の量および塗膜厚さに形成するものである。このように化粧シート１を通して基板表面の色調が現出することにより単に印刷のみで形成された化粧面に比べ立体感が生ずるものとなる。
　【００１５】また、必要に応じ樹脂シート２表面に、導管孔模様に同調したエンボス模様を形成することによりさらに立体感を有する天然木に近似した化粧面が得られる。
　【００１６】また、このように、木目模様が樹脂シート２の裏面に印刷されていることにより、木目模様は樹脂シート２により保護された状態となり、傷がつきにくく、汚れにくいものである。また、汚れても表面が樹脂シートであるため簡単に拭き取ることができるなど手入れが簡単であるという効果を有するものである。
　【００１７】また、本発明における化粧シート１は図１の形態に限定されるものではなく、透明あるいは半透明の樹脂シート２の表面にベタ層４および模様層３を形成したもの、さらにその上に上塗り層を形成したものなども使用することができる。
　【００１８】また、本発明の建築用材の製造方法について説明すると、まず、ラワン材等の広葉樹材を原料とし、常法により解繊し得られたラワンの木質繊維に接着剤、サイズ剤等を混合し乾燥したのち、フォーミングして一定厚の連続繊維マットを得、該繊維マットを定尺切断して定尺マットとし、これをホットプレスにより加熱圧締することにより色調が褐色系の木質繊維板６が得られた。次いで該木質繊維板６の表面に酢酸ビニル樹脂、エチレン・酢酸ビニル共重合樹脂、アクリル樹脂、ポリウレタン樹脂等からなる接着剤５を介して、透明の塩化ビニル樹脂シート２の裏面に木目模様３，４が印刷された化粧シート１を接着することにより、本発明の建築用材が得られる。
　【００１９】尚、必要に応じて化粧シート１を貼着する前に、木質繊維板６を所望形状に切削加工を施したものを基板とし、その表面に化粧シート１を貼着することもできる。
　【００２０】このような形態の建築用材は、化粧板として形成したものを床材、壁材および家具用の化粧板として使用するほか、所望形状に加工した基板（基材）としての木質繊維板６表面に化粧シート１を貼着することにより幅木、回り縁、窓およびドアの枠材などの造作材としても使用することができる。
　【００２１】
　【効果】本発明の建築用材は、基板６として木質繊維板を使用し、透明または半透明の樹脂シート２に木目模様印刷３，４が施された化粧シート１を貼着し、基板としての木質繊維板６表面の色調が化粧シート１を通して表面の現出しているという構成により、木質繊維板６が表面の色調を始めとしてあらゆる性状が均質なものであるため、その表面に貼着する化粧シート１の色調の管理をすることにより、一定の色調の化粧表面を安定して供給することができるものである。
　【００２２】さらに、化粧シート１の木目模様３，４を通して基板としての木質繊維板６の表面の色調が現出することにより、単なる印刷表面に比べ、底から浮かび上がる基板の色調による深み（立体感）が生ずることとなり、天然木表面に一段と近い化粧面が得られるものである。
【図面の簡単な説明】
　【図１】本発明建築用板の断面図、
　【符号の説明】
１：化粧シート、２：樹脂シート、３，４：木目模様、３：模様層、４：ベタ層、５：接着剤、６：木質繊維板。